(57)【要約】      （修正有）【課題】構造がより頑丈かつ固く締まり、輸送に便利な弁当箱の構造を提供する。【解決手段】身箱と２つの組立品からなる。身箱は矩形の底板を有し、少なくとも対向の一辺に折り込み可能な端板を設けられ、２つの組立品は、２つのフラップと当て物によってＵ型体を形成され、身箱の２つの端板の外縁部と底板の下縁にそれぞれ貼り付けて箱体組み合わせ、箱体は組立品の位置に２層の防護層を有する。【選択図】図１
0003163153.tif 000002
【実用新案登録請求の範囲】
【請求項１】
身箱と、２つの組立品とを備えた弁当箱の構造であって、
前記身箱は、矩形の底板を有し、前記底板の対向側に折り込み可能な矩形の端板を設けられ、
前記２つの組立品は中央板を有し、前記中央板の両側と底部に２つのフラップと一つの当て物をそれぞれ設けられ、前記中央板の上方に折りシートを設け、前記中央板と対向に貼り合わせて２層の構造体を形成し、
前記２つの組立品は前記身箱周りの一辺に設けられ、前記２つの組立品は前記２つのフラップと前記当て物によってＵ型体を形成して、前記身箱の２つの前記端板の外縁部と前記底板の下縁にそれぞれ設けて箱体を構成する、弁当箱の構造。
【請求項２】
前記組立品の前記折りシートの面積は前記中央板より小さいことを特徴とする請求項１記載の弁当箱の構造。
【請求項３】
前記２つの組立品の前記２つの折りシートの端部に面取り部が形成されていることを特徴とする請求項１記載の弁当箱の構造。
【請求項４】
前記箱体の上方に上蓋を設けられ、前記上蓋にシールドシートを有し、対向の両側は下向きに折り込み可能な目板を設けられていることを特徴とする請求項１記載の弁当箱の構造。
【請求項５】
前記目板の末端部に面取り部を設けられていることを特徴とする請求項４記載の弁当箱の構造。
【考案の詳細な説明】
【技術分野】
【０００１】
本考案は一種の弁当箱の構造に関し、特に一種の特別な掛着強度を有する紙製または木製箱体の構造に関する。
【背景技術】
【０００２】
外食または客のもてなしは一定の衛生レベルに達し、かつ食器洗いの面倒を省くため、多くの飲食店または屋台とも衛生な使い捨て食器を使われている。特に、都会地区の産業型社会では外食の人口が増加しているため、弁当箱に大きな成長がある一方、従来の弁当箱の改良も要求されている。
【０００３】
従来の紙類または木片からなる弁当箱は、主にあらかじめ折り込み可能な構造体に裁断されており、その多くは中央底板を設けられ、中央底板の周りに折りシートを残し、中央底板と折りシートとの間に折り目を設け、それぞれの折りシートを向かい合わせに折り込んで立ち上がらせた上、両側は接着剤などで貼り合わせて、５つの面にシールされた箱体を形成し弁当箱の身箱とする。
【考案の概要】
【考案が解決しようとする課題】
【０００４】
しかし、前述従来の紙類または木片からなる弁当箱の側辺は単層構造がほとんどである一方、隅角部は接着剤の接着によるもので、構造強度が悪いことは主な欠点である。
【０００５】
さらに、公知技術の箱体の一辺に蓋を形成され、商材を盛り付けた後に、ひっくり返して箱体の上方に覆い被せる。そのため、一辺は箱体によって支えられているため破れ易い、他辺は自由端であり、よじ曲げられている。よって、箱体に商材盛り付けた後に変形を引き起こすか、汁が漏れることがしばしばある。加えて、単層の箱体構造の商材負荷能力が悪いことはもう一つの欠点となっている。
【０００６】
さらに、公知技術の箱体の一辺にかぶせ蓋を連設されている構造で、重量が不均衡の状態になりがちのため、箱体を積み重ねて包装するときに困難があるほか、多くの鋭角があり収縮包装が破れ易いことはさらに一つの欠点である。
【課題を解決するための手段】
【０００７】
本考案の主な目的は身箱と、２つの組立品からなる一種の箱体を提供する。身箱は矩形の底板を有し、少なくとも対向する一辺に折り込み可能な端板を設けられている。２つの組立品は２つのフラップと当て物によってＵ型体を形成し、身箱に備える２つの端板の外縁部と底板の下縁にそれぞれ貼り付けて箱体に組み合わせる。箱体は組立品の位置に防護層を２層に設けることによって、構造をより頑丈に固く締まる。
【０００８】
本考案の具体的な実施方法を以下の通り説明する。
【０００９】
矩形の底板を備える身箱を設け、底板の対向側に折り込み可能な矩形の端板を設ける。
【００１０】
引き続き、中央板を備える２つの組立品を設け、中央板の両側と底部に２つのフラップと当て物をそれぞれ設ける。中央板の上方に折りシートを設け、中央板と互いに貼り合わせて２層構造の構造体を形成する。２つの組立品は身箱周りの一辺に設けられ、２つの組立品はこの２つのフラップと当て物によってＵ型体を形成し身箱の２つの端板の外縁部と底板の下縁にそれぞれ貼り付けて、完全な箱体を構成する。
【考案の効果】
【００１１】
本案の特別な設計により、使用のときに以下の長所を有する。
【００１２】
イ、本案の一つの身箱と２つの組立品とを組み合わせて構成する箱体の両側に配置された組立品は二層の構造を有しＵ型貼り合わせ構造と組み合わせて、構造がより頑丈かつ固く締まることが本案の主な長所である。
【００１３】
ロ、本案に組み込まれた上蓋は箱体の上方に直接配置され、両側を箱体の両側に覆い被せることによって、箱体自体は上蓋の引っ張りによるよじれ変形がない。よって、輪ゴムまたはその他の繋着具と組み合わせれば、より平らになり破損または破れがないことが本案もう一つの長所である。
【００１４】
ハ、本案２つの組立品両側のフラップと下方に設けられる当て物は箱体の両側と底部へ平らに敷かれているため、形が滑らかで凸凹はない。箱体の積み重ね空間を軽減できるのみならず、輸送が便利である。さらに、鋭角を持たないため、包装に収縮フィルムを使用されても、破れまたは破損しにくい。箱体輸送途中の衛生を確保できることが本案さらに一つの長所である。
【図面の簡単な説明】
【００１５】
【図１】本考案の構造分解図（その一）である。
【図２】本考案の構造分解図（その二）である。
【図３】本考案の箱体の組み立て断面図である。
【図４】本考案を組み合わせた後に上蓋との組合せを示す図である。
【図５】本考案の実施例２の構造分解図である。
【考案を実施するための形態】
【００１６】
審査官の方々が本考案の内容のさらなる理解を図るため、以下にて図面と合わせて説明する。
【実施例】
【００１７】
図１ないし４を合わせて参照する。本考案による箱体１０は、身箱１１は矩形の底板１１０を有し、底板１１０の対向側に折り込み可能な矩形の端板１１１、１１２を設けられている。
【００１８】
２つの組立品１２は中央板１２０を備え、中央板１２０の両側と底部に２つのフラップ１２１、１２２と当て物１２３をそれぞれ設けられ、これらを対向に折り込み約９０度の構造体を形成する。引き続き、中央板１２０の上方に折りシート１２４を設け、折りシート１２４の面積は中央板１２０と同じかまたはやや小さく、中央板１２０と互いに貼り合わせて２層構造の構造体を構成する。
【００１９】
２つの組立品１２は身箱１１周りのもう一辺、すなわち、端板１１１、１１２を有しない辺に設けられており、２つの組立品１２は２つのフラップ１２１、１２２と当て物１２３からなるＵ型体を身箱１１の２つの端板１１１、１１２の外縁部と底板１１０の下縁にそれぞれ貼り付けて、完全な箱体１０を構成する。
【００２０】
そのうち、２つの組立品１２は２つのフラップ１２１、１２２の端部に面取り部１２５が形成されている。このような設計は、本考案による箱体１０の上方に上蓋２０を増設したとき、上蓋２０は箱体１０の上縁と同じまたはやや大きいシールドシート２１を有するほか、身箱１１の２つの端板１１１、１１２側は下向きに折り曲げる目板２２を設け、目板２２の末端部に面取り部２２０を設け、上蓋２０を箱体１０に覆い被せたとき、目板２２は組み立てた箱体１０の２つのフラップ１２１、１２２の間に位置し、かつ目板２２の面取り部２２０と２つのフラップ１２１、１２２の面取り部１２５が互いに吻合し安定に覆い被せることができるほか、負荷力も均一しており、ねじれ変形をおきない。
【００２１】
図５の、本考案による箱体３０もう一つの実施態様の分解図を参照する。
主に身箱３１は矩形の底板３１０を有し、底板３１０の対向側に折り込み可能な端板３１１、３１２、３１３、３１４を設けられている。
【００２２】
２つの組立品３２は中央板３２０を有し、中央板３２０の両側と底部に２つのフラップ３２１、３２２と一つの当て物３２３をそれぞれ設け、対向に折り込み約９０度の構造体を形成する。
【００２３】
２つの組立品３２は身箱３１の対向の辺に設けられ、２つの組立品３２は中央板３２０によって身箱３１の端板３１３、３１４にそれぞれ設けられており、一方、２つのフラップ３２１、３２２と当て物３２３からなるＵ型体を身箱３１の２つの端板３１１、３１２の外縁部と底板３１０の下縁にそれぞれ設けて、完全な箱体３０を構成する。
【００２４】
前述の通り、本案によって施行可能な弁当箱の構造が提供されており、新規性を有するほか、産業上の利用価値を有する。よって、実用新案特許を出願する。前記実施態様および図面に示すものは、本案の好ましい実施例に過ぎない。本案の内容に制限するつもりではない。よって、本案の構造、装置、特長に類似、近似するものは本案の考案目的と出願範疇に含まれる。
【符号の説明】
【００２５】
１０    箱体
１１    身箱
１１０  底板
１１１  端板
１１２  端板
１２    組立品
１２０  中央板
１２１  フラップ
１２２  フラップ
１２３  当て物
１２４  折りシート
１２５  面取り部
２０    上蓋
２１    シールドシート
２２    目板
２２０  面取り部
３０    箱体
３１    身箱
３１０  底板
３１１  端板
３１２  端板
３１３  端板
３１４  端板
３２    組立品
３２０  中央板
３２１  フラップ
３２２  フラップ
３２３  当て物
３２４  面取り部
【図１】
0003163153.tif 000003
【図２】
0003163153.tif 000004
【図３】
0003163153.tif 000005
【図４】
0003163153.tif 000006
【図５】
0003163153.tif 000007